(57)【要約】【課題】  使用形態に利便性をもたせて需要者の購買意欲を喚起することのできる充分な付加価値を備える。【解決手段】  書類，冊子等を綴保管するファイル類の背表紙部分に設けられた袋形のインデックス収容部に差込み使用される単枚のシート１からなる。シート１は、一部に複数の見出表示，分類表示等の表示項目２が整列して記され残る他部に表示項目２を覆うことのできる面積のカバー面３が設けられている。【選択図】 図１
2007216553.tif 000002
【特許請求の範囲】
【請求項１】
書類，冊子等を綴保管するファイル類の背表紙部分に設けられた袋形のインデックス収容部に差込み使用される単枚のシートからなるインデックスシートにおいて、シートは一部に複数の見出表示，分類表示等の表示項目が整列して記され残る他部に表示項目を覆うことのできる面積のカバー面が設けられていることを特徴とするインデックスシート。
【請求項２】
請求項１のインデックスシートにおいて、表示項目はシートの表面，裏面の双方に記されていることを特徴とするインデックスシート。
【請求項３】
請求項１または２のインデックスシートにおいて、カバー面は表示項目の整列の境界に対応した部分にミシン目が設けられていることを特徴とするインデックスシート。
【請求項４】
請求項１〜３のいずれかのインデックスシートにおいて、表示項目は整列が２条隣接して配置され、カバー面は表示項目の両外側にそれぞれ設けられ隣接する表示項目の整列の１条ずつを覆うことのできる面積を有していることを特徴とするインデックスシート。
【発明の詳細な説明】
【技術分野】
【０００１】
本発明は、書類，冊子等を綴保管するファイル類の背表紙部分に設けられた袋形のインデックス収容部に差込み使用され、綴保管されている書類，冊子等を見出表示，分類表示等するインデックスシートに係る技術分野に属する。
【背景技術】
【０００２】
最近、ファイル類の多用によってインデックスシートの重要性が増してきている。然しながら、現在インデックスシートとして提供されているものは、ファイル類のインデックス収容部にそのまま差込まれる大きさのほぼ無地の単枚のシートに形成され、綴込み作業者が手書き，プリンタ印刷等によって文字，数字等からなる見出表示，分類表示等を記すようにしたものが一般的である。即ち、通常の紙を切断して使用しても充分にその機能を確保することができるもので、需要者の購買意欲を喚起し得るほどの付加価値を有するものではない。このため、需要者の購買意欲を喚起することのできる付加価値を備えたインデックスシートの開発が要望されている。
【０００３】
従来、需要者の購買意欲を喚起することのできる付加価値を備えたインデックスシートとしては、例えば、以下に記載のものが知られている。
【特許文献１】特開２０００−１９０６７７号公報  特許文献１には、ある程度の大きさを備えたシートにミシン目を重畳的に設けてなるインデックスシートが記載されている。
【０００４】
特許文献１に係るインデックスシートは、ミシン目から切断することで必要な大きさ，形状のシートを簡単に形成することができるようにして、ファイル類以外にも使用可能にする汎用性という付加価値を備えたものである。
【発明の開示】
【発明が解決しようとする課題】
【０００５】
特許文献１に係るインデックスシートでは、綴込み作業者が手書き，プリンタ印刷等によって文字，数字等からなる見出表示，分類表示等を記すという基本的な使用形態に変化がないため、ファイル類用に限定した場合に需要者の購買意欲を喚起することのできる充分な付加価値を備えているとはいえないという問題点がある。
【０００６】
本発明は、このような問題点を考慮してなされたもので、使用形態に利便性をもたせて需要者の購買意欲を喚起することのできる充分な付加価値を備えたインデックスシートを提供することを課題とする。
【課題を解決するための手段】
【０００７】
前述の課題を解決するため、本発明に係るインデックスシートは、特許請求の範囲の各請求項に記載の手段を採用する。
【０００８】
即ち、請求項１では、書類，冊子等を綴保管するファイル類の背表紙部分に設けられた袋形のインデックス収容部に差込み使用される単枚のシートからなるインデックスシートにおいて、シートは一部に複数の見出表示，分類表示等の表示項目が整列して記され残る他部に表示項目を覆うことのできる面積のカバー面が設けられていることを特徴とする。
【０００９】
この手段では、既に記されている表示項目から必要な表示項目のみを残して他の表示項目を折畳んだカバー面で覆うことで、必要な表示項目のみを見出表示，分類表示等として表示することができる。
【００１０】
また、請求項２では、請求項１のインデックスシートにおいて、表示項目はシートの表面，裏面の双方に記されていることを特徴とする。
【００１１】
この手段では、シートを反転しても使用することができる。
【００１２】
また、請求項３では、請求項１または２のインデックスシートにおいて、カバー面は表示項目の整列の境界に対応した部分にミシン目が設けられていることを特徴とする。
【００１３】
この手段では、カバー面の表示項目を覆う部分と覆わない部分とをミシン目から正確に切断することができる。
【００１４】
また、請求項４では、請求項１〜３のいずれかのインデックスシートにおいて、表示項目は整列が２条隣接して配置され、カバー面は表示項目の両外側にそれぞれ設けられ隣接する表示項目の整列の１条ずつを覆うことのできる面積を有していることを特徴とする。
【００１５】
この手段では、シートの片面で表示項目が増加され、カバー面が観音開き式で表示項目を覆うことになる。
【発明の効果】
【００１６】
本発明に係るインデックスシートは、既に記されている表示項目から必要な表示項目のみを残して他の表示項目を折畳んだカバー面で覆うことで、必要な表示項目のみを見出表示，分類表示等として表示することができるため、使用形態に利便性をもたせて需要者の購買意欲を喚起することができる効果がある。
【００１７】
さらに、請求項２として、シートを反転しても使用することができるため、表示項目が増加され見出表示，分類表示等としての表示機能が高くなる効果がある。
【００１８】
さらに、請求項３として、カバー面の表示項目を覆う部分と覆わない部分とをミシン目から正確に切断することができるため、表示項目を確実に表示することができるとともに、カバー面による覆いの体裁が綺麗になる効果がある。
【００１９】
さらに、請求項４として、シートの片面で表示項目が増加されるため、見出表示，分類表示等としての表示機能が高くなる効果がある。また、カバー面が観音開き式で表示項目を覆うことになるため、カバー面の折畳長が長くなって取扱いが不便になるのを防止することができる効果がある。
【発明を実施するための最良の形態】
【００２０】
以下、本発明に係るインデックスシートを実施するための最良の形態を図面に基づいて説明する。
【００２１】
図１〜図５は、本発明に係るインデックスシートを実施するための最良の形態の第１例を示すものである。
【００２２】
第１例では、縦長の長方形のシート１からなるものを示してある。
【００２３】
シート１は、紙材，布材，合成樹脂材等で折畳みが可能な薄い単枚の構造に形成されたもので、好ましくは各種の筆記具による手書きで必要事項を記すことが可能な材質が選択される。
【００２４】
シート１の表面１１の左半部には、図１（Ａ）に示すように、複数の見出表示，分類表示等の表示項目２が上下に整列して印刷等で記されている。表示項目２については、図面では単純化して「ＡＡＡＡ」〜「ＬＬＬＬ」として１２項目が記されているが、実際には「月」 ，「週」，「日」や「経理科目」，「顧客名」等の使用分野に対応した項目が記されることになる。
【００２５】
シート１の表面１１の右半部には、図１（Ａ）に示すように、空白の面であるカバー面３が設けられている。カバー面３には、表示項目２の整列の境界に対応した部分の横長の全長に平行にミシン目４が設けられている。ミシン目４は、指で掴み捻ることでシート１を切断することのできる間欠微小孔からなる。
【００２６】
シート１の裏面１２には、図１（Ｂ）に示すように、表示項目２が記されていない。
【００２７】
この第１例は、図１（Ａ）に示すように、シート１の縦長ａが書類，冊子等を綴保管するファイル類Ｆの背表紙部分に設けられた袋形のインデックス収容部Ｐの縦長に相当する長さに形成され、同一長さである表示項目２の横長ｂとカバー面３の横長ｃとがそれぞれインデックス収容部Ｐの横長に相当する長さに形成されている。なお、表示項目２，ミシン目４の各縦幅ｄは、同一長となっている。
【００２８】
第１例を使用するには、例えば見出表示，分類表示等として表示する表示項目２として「ＡＡＡＡ」を選択した場合、図２（Ｂ）に示すように、表示項目２の「ＡＡＡＡ」と「ＢＢＢＢ」との間に位置するミシン目４を破断する。間欠微小孔からなるミシン目４は、不測の方向への破断，亀裂を防止して正確な破断を案内する。そして、図２（Ｃ）に示すように、カバー面３の表示項目２の「ＡＡＡＡ」に対応した部分をシート１の裏面１２側に折畳み、カバー面３の残る部分をシート１の表面側に折畳んで表示項目２の「ＢＢＢＢ」以下を覆う。
【００２９】
このように折畳み加工されたシート１は、インデックス収容部Ｐに差込み可能な大きさになっている。従って、図３に示すように、シート１をそのままインデックス収容部Ｐに差込み収容することができる。
【００３０】
なお、例えば見出表示，分類表示等として表示する表示項目２として「ＢＢＢＢ」を選択した場合、図４（Ａ）に示すように、表示項目２の「ＡＡＡＡ」と「ＢＢＢＢ」との間に位置するミシン目４を破断し、さらに表示項目２の「ＢＢＢＢ」と「ＣＣＣＣ」との間に位置するミシン目４をも破断し、カバー面３の表示項目２の「ＢＢＢＢ」に対応した部分をシート１の裏面１２側に折畳み、カバー面３の残る部分をシート１の表面側に折畳んで表示項目２の「ＢＢＢＢ」以外を覆うことになる。また、例えば見出表示，分類表示等として表示する表示項目２として「ＣＣＣＣ」を選択した場合、図４（Ｂ）に示すように、表示項目２の「ＢＢＢＢ」と「ＣＣＣＣ」との間に位置するミシン目４を破断し、さらに表示項目２の「ＣＣＣＣ」と「ＤＤＤＤ」との間に位置するミシン目４をも破断し、カバー面３の表示項目２の「ＣＣＣＣ」に対応した部分をシート１の裏面１２側に折畳み、カバー面３の残る部分をシート１の表面側に折畳んで表示項目２の「ＣＣＣＣ」以外を覆うことになる。表示項目２の「ＤＤＤＤ」以下についても、同様の加工がなされる。
【００３１】
この結果、図５に示すように、整理棚等に並べられたファイル類Ｆに見出表示，分類表示等として表示する必要な表示項目２のみが表示されることになる。表示される表示項目２の縦幅ｄが同一長で視覚的な印象が均等であるため、他のファイル類Ｆに表示されている表示項目２との識別が容易である。また、表示される表示項目２は、ミシン目４に沿ったカバー面３の正確な破断によって露出されているため、一部が覆われたりすることなく確実に表示される。また、カバー面３の正確な破断は、カバー面３による覆いの体裁を綺麗にする。
【００３２】
即ち、第１例によると、既に記されている表示項目２から必要な表示項目２のみを残して他の表示項目２を折畳んだカバー面３で覆うことで、必要な表示項目２のみを見出表示，分類表示等として表示することができる。従って、使用形態に利便性がもたらされ、需要者の購買意欲が喚起される。
【００３３】
なお、カバー面３に、補足的に各種の筆記具による手書きで必要事項を記すことは可能である。また、表示される表示項目２を２つ以上とすることも可能である。
【００３４】
図６は、本発明に係るインデックスシートを実施するための最良の形態の第２例を示すものである。
【００３５】
第２例では、シート１の裏面１２にも表示項目２の「ＭＭＭＭ」以下を記してある。
【００３６】
第２例によると、シート１を反転しても第１例と同様に使用することができるため、表示項目２が第１例の２倍に増加され見出表示，分類表示等としての表示機能が高くなる。
【００３７】
図７，図８は、本発明に係るインデックスシートを実施するための最良の形態の第３例を示すものである。
【００３８】
第３例では、表示項目２の上下の整列が２条隣接して配置され、カバー面３は表示項目２の両外側にそれぞれ設けられている。各カバー面３は、隣接する表示項目２の上下の整列の１条ずつを覆うことのできる面積を有している。
【００３９】
第３例によると、第１例，第２例と同様のカバー面３の加工で使用することができる。そして、第１例，第２例に比してシート１の片面で表示項目２が増加されるため、見出表示，分類表示等としての表示機能が高くなる。また、カバー面３が観音開き式で表示項目２を覆うことになるため、カバー面３の折畳長が長くなって取扱いが不便になるのが防止される。
【００４０】
以上、図示した各例の外に、ミシン目４を設けずに、カバー面３の表示される表示項目２に対応した部分をハサミ等で切除するようにすることも可能である。
【００４１】
さらに、シート１の表示項目２，カバー面３の境界にもミシン目を設けて、カバー面３の表示される表示項目２に対応した部分をミシン目から切除するようにすることも可能である。
【図面の簡単な説明】
【００４２】
【図１】本発明に係るインデックスシートを実施するための最良の形態の第１例であり、（Ａ）に表面図が（Ｂ）に裏面図が示されている。
【図２】図１の使用に際しての加工例の斜視図であり、（Ａ）〜（Ｃ）にカバー面の加工手順が示されている。
【図３】加工された図２（Ｃ）の状態でのファイル類への差込み使用例の斜視図である。
【図４】他の表示項目を表示する際の図２（Ｂ）に対応した加工の斜視図であり、（Ａ），（Ｂ）にそれぞれ異なる表示項目の場合が示されている。
【図５】第１例が使用された表示状態の正面図である。
【図６】本発明に係るインデックスシートを実施するための最良の形態の第２例の裏面図である。
【図７】本発明に係るインデックスシートを実施するための最良の形態の第３例の表面図である。
【図８】第３例が使用された表示状態の正面図であるである。
【符号の説明】
【００４３】
１         シート
１１          表面
１２          裏面
２ 表示項目
３            カバー面
４            ミシン目
Ｆ            ファイル類
Ｐ            インデックス収容部
【図１】
2007216553.tif 000003
【図２】
2007216553.tif 000004
【図３】
2007216553.tif 000005
【図４】
2007216553.tif 000006
【図５】
2007216553.tif 000007
【図６】
2007216553.tif 000008
【図７】
2007216553.tif 000009
【図８】
2007216553.tif 000010